(57)【要約】【課題】  開閉にファスナーを採用したバッグ類において、収容能力を落とすことなく内容物に対する保護を向上する。【解決手段】  長尺物を収納するシート部材(20)で形成したバッグ本体(11)と、そのバッグ本体(11)に前記長尺物を出し入れするための開口部(12)と、その開口部(12)を開閉するファスナー(30)と、を備える。ファスナー(30)の内側を覆うように補強板材(13)を配置する。補強板材(13)の一側縁側を、ファスナー(30)の一側縁を取り付けたシート部材(20)の開口部側端縁に連結する。補強板材(13)の他側縁を、ファスナー(30)の他側縁を取り付けたシート部材(20)の開口部側端縁に突き当て可能に形成する。【選択図】  図４
2015192830.tif 000002
【特許請求の範囲】
【請求項１】
シート部材で収納空間を形成するバッグ本体と、収納物を出し入れするための開口部と、その開口部を開閉するファスナーと、を備えた収納空間に採用する補強構造であって、
前記ファスナーの内側を覆うように補強板材を配置するとともに、その補強板材の一側縁側は、前記ファスナーの一側縁を取り付けた前記シート部材の開口部側端縁に連結し、
前記の補強板材の他側縁は、前記ファスナーの他側縁を取り付けた前記シート部材の開口部側端縁に突き当て可能に形成した収納空間補強構造。
【請求項２】
前記ファスナーは、互いに噛み合うファスナーエレメントと、そのファスナーエレメントを開閉するファスナースライダーと、前記ファスナーエレメントが取り付く一対のファスナーテープを備え、
前記シート部材における前記補強板材が当接する側の端部は、ファスナーを閉めた場合に補強板材の端部よりも収納空間の内側へ位置するように一方のファスナーテープと縫合して形成した請求項１に記載の収納空間補強構造。
【請求項３】
前記の補強板材は、前記ファスナーが通過する位置に、バッグ本体の内側へへこむ形状をなす凹部を形成した請求項１または請求項２のいずれかに記載の収納空間補強構造。
【請求項４】
前記ファスナーの他側縁を取り付けた前記シート部材の開口部側端縁は、突き当てた前記の補強板材の他側縁側を内側から押さえるための押さえ部材を備えた請求項１から請求項３のいずれかに記載の収納空間補強構造。
【請求項５】
前記ファスナーの他側縁を取り付けた前記シート部材の開口部側端縁は、前記の補強板材の他側縁を突き当てるための突き当て部材を備えた請求項１から請求項４のいずれかに記載の収納空間補強構造。
【請求項６】
前記シート部材は、外被と、内被と、前記外被と前記内被との間に配置した強度部材と、で構成し、
前記の補強板材の一側縁側は、前記ファスナーの一側縁を取り付けた前記シート部材の開口部側端縁における強度部材も共に連結した請求項１から請求項５のいずれかに記載の収納空間補強構造。
【請求項７】
前記の補強板材は、前記ファスナーの全長において断続的に配置している請求項１から請求項６のいずれかに記載の収納空間補強構造。
【請求項８】
シート部材で収納空間を形成したバッグ本体と、収納物を出し入れするための開口部と、その開口部を開閉するように前記シート部材へ取り付けられたファスナーと、を備えた収納空間補強構造であって、
前記ファスナーの一側縁を取り付けたシート部材の開口部側端縁は、前記ファスナーの内側を覆うように延伸するとともに、
前記ファスナーの他側縁を取り付けた前記シート部材の開口部側端縁へ突き当て可能に形成した収納空間補強構造。
【請求項９】
前記ファスナーは、互いに噛み合うファスナーエレメントと、前記ファスナーエレメントを開閉するファスナースライダーと、前記ファスナーエレメントが取り付く一対のファスナーテープを備え、
上記の一方のファスナーテープを取り付けた前記シート部材の開口部側端縁は、一対のファスナーテープの内側を覆うように延伸するとともに、上記の他方のファスナーテープを取り付けた前記シート部材の開口部側端縁に突き当て可能に形成した請求項８に記載の収納空間補強構造。
【請求項１０】
前記ファスナーの他側縁を取り付けた前記シート部材の開口部側端縁は、突き当てた前記シート部材の他側縁側を内側から押さえるための押さえ部材を備えた請求項８または請求項９のいずれかに記載の収納空間補強構造。
【請求項１１】
前記ファスナーの他側縁を取り付けた前記シート部材の開口部側端縁は、前記シート部材の他側縁を突き当てるための突き当て部材を備えた請求項８または請求項９のいずれかに記載の収納空間補強構造。
【発明の詳細な説明】
【技術分野】
【０００１】
本発明は、釣竿やゴルフクラブなどを収納するバッグ類の補強構造、およびその補強構造を採用したバッグに関する。
【背景技術】
【０００２】
釣竿などの釣り具を収納する釣り用バッグ、ゴルフクラブなどのゴルフ用品を収納するゴルフバッグなど、主に長尺物を収納するための長尺物バッグは、その開閉の便宜からファスナーを採用することが多い。釣り人は、釣り具を釣り用バッグに収納して運び、釣り場へ向かう。ゴルファーは、ゴルフクラブ等をゴルフバッグに収納して運び、ゴルフ場やゴルフ練習場へ向かう。
【０００３】
例えば、複数の釣り人が釣り場へ移動する際に、釣り人の釣り用バッグは、仲間の釣り用バッグと重ねる場面がある。一人で持ち歩く場合にも、釣り用バッグを何かへぶつけてしまうおそれもある。
釣り用バッグに収納される釣り具には、リールや釣竿のように外力に対して強度的に弱いものである。特に、釣竿の先端側は細繊細な構造であるので、外力から保護する必要がある。
【０００４】
特許文献１に開示された技術では、特にバッグ本体のねじれ変形を抑制することを目的として、少なくとも背面に補強体を配置している。実施形態では、バッグ本体を合成樹脂の生地からなる外装体と内装体とを積層した二重構造で強度を高めている。
【０００５】
特許文献２では、リールを装着できるリールシートを備えた釣竿に対して、元竿を含めた竿杆および各竿杆に設けられた釣糸ガイド群を一度に安定的に保持して、振り出し式の釣竿全体を完全に保護する技術を開示している。そのために、振り出し式の釣竿全体を完全に保持する保持部をバッグ本体の内側に形成している。
【先行技術文献】
【特許文献】
【０００６】
【特許文献１】特開２０１３−９４０９６号公報
【特許文献２】特開２０１３−１５３６７２号公報
【発明の概要】
【発明が解決しようとする課題】
【０００７】
特許文献１においてバッグ本体の構造は、外装体と内装体との間に合成樹脂等の剛性の大きい部材をサンドイッチにした補強構造とすることができる。
しかし、収納空間への開閉部材としてファスナーを採用したバッグは、そのファスナーを形成した箇所は、外力に対して弱い。収納した内容物を外力から守るには、更なる改良の余地がある。
【０００８】
特許文献２では、釣竿全体を完全に保持する保持部をバッグ本体の内側に形成しているので、ファスナーを形成した箇所が強度的に弱くても、釣竿に対して何ら影響を与えない。その点では、特許文献１に開示された技術よりも優れている。
しかし、バッグ本体の内部に複数の釣竿を収納するには、各釣竿に対応する複数の保持部を設ける必要があるので、構造的に大きくなってしまう。そのため、内容物の収容能力を下げてしまうことになる。釣り竿やゴルフクラブなどの長尺物を収納する場合には、特に好ましくない。
【０００９】
本発明が解決しようとする課題は、ファスナーを形成した箇所に対する補強構造を形成することで、内容物の収容能力を落とすことなくバッグ本体内の内容物に対する保護を向上できる技術を提供することにある。
【課題を解決するための手段】
【００１０】
（第一の発明）
第一の発明は、シート部材(20)で収納空間を形成するバッグ本体(11)と、収納物（たとえば釣り竿のような長尺物50）を出し入れするための開口部(12)と、その開口部(12)を開閉するファスナー(30)と、を備えた収納空間補強構造に係る。
前記ファスナー(30)の内側を覆うように補強板材(13)を配置するとともに、前記の補強板材(13)の一側縁側は、前記ファスナー(30)の一側縁を取り付けた前記シート部材(20)の開口部側端縁に連結する。
前記の補強板材(13)の他側縁は、前記ファスナー(30)の他側縁を取り付けた前記シート部材(20)の開口部側端縁に突き当て可能に形成する。
【００１１】
（作用）
本発明に係る収納空間補強構造を採用したバッグ類において、収納空間に対してファスナー(30)の幅方向を狭める方向の外力がかかった場合、シート部材(20)が変形し、特に開口部(12)を備えた箇所は撓んで狭められる。  しかし、ファスナー(30)の内側に補強板材(13)を配置しているので、ファスナー(30)がつぶされないように補強板材(13)によって保護される。  その結果、ファスナー(30)の幅方向を狭める方向の外力から収納空間を保護する。
一方、補強板材(13)は、その一側縁側を一方のシート部材(20)の開口部側端縁に連結し、補強板材(13)の他側縁を他方のシート部材(20)の開口部側端縁に突き当て可能であるので、開口部(12)を開閉するというファスナー(30)の基本的機能を損なうことはない。
【００１２】
（第一の発明のバリエーション１）
第一の発明は、以下のような構成とするとより好ましい。
すなわち、前記ファスナー(30)は、互いに噛み合うファスナーエレメント(31a,31b)と、そのファスナーエレメント(31a,31b)を開閉するファスナースライダー(32)と、前記ファスナーエレメント(31a,31b)が取り付く一対のファスナーテープ(33a,33b)を備える。
前記シート部材(20)における前記補強板材(13)が当接する側の端部は、ファスナー(30)を閉めた場合に補強板材(13)の端部よりも収納空間の内側へ位置するように一方のファスナーテープ(33b)と縫合する。  いわゆる「返し」が形成される（図４参照）。
【００１３】
（作用）
ファスナー(30)を閉めた場合には、一方のファスナーテープ(33b)とシート部材(20)の端部とが縫い合わされることによって、ファスナー(30)を閉めた場合に補強板材(13)の端部よりも収納空間の内側へ位置する。したがって、ファスナー(30)の幅方向を狭める方向の外力によって、補強板材(13)の端部が収納空間の内側へ逃げにくい。そのため、ファスナー(30)の幅方向を狭める方向の外力に抗することができる。
一方、前記の構成が開口部(12)を開閉するというファスナー(30)の基本的機能を損なうことはない。
【００１４】
（第一の発明のバリエーション２）
第一の発明における補強板材(13)は、前記ファスナー(30)が通過する位置に、バッグ本体(11)の内側へへこむ形状をなす凹部(14)を形成すると、より好ましい。
【００１５】
（作用）
開口部(12)を開閉するためにファスナー(30)を移動させる際に、補強板材(13)の凹部(14)にはファスナー(30)にとっての邪魔な部位がなく、動きを円滑に出来る。
【００１６】
（第一の発明のバリエーション３）
第一の発明は、以下のようなバリエーションを提供することもできる。
すなわち、ファスナー(30)の他側縁を取り付けた前記シート部材(20)の開口部側端縁には、突き当てた前記の補強板材(13)の他側縁側を内側から押さえるための押さえ部材(41)を備えてもよい。
【００１７】
（作用）
押さえ部材(41)は、突き当てた補強板材(13)の他側縁側を内側から押さえるので、ファスナー(30)の幅方向を狭めるような外力がかかっても、補強板材(13)の他側縁が確実にシート部材(20)の開口部側端縁に突き当てられる。そのため、収納空間を小さくするような外力に抗することが出来る。
【００１８】
（第一の発明のバリエーション４）
第一の発明は、以下のようなバリエーションを提供することもできる。
すなわち、  前記ファスナー(30)の他側縁を取り付けた前記シート部材(20)の開口部側端縁は、前記の補強板材(13)の他側縁を突き当てるための突き当て部材(42)を備えることができる。
前述したバリエーション３のように押さえ部材(41)を備えた場合には、突き当て部材(42)は、押さえ部材(41)の他側縁を突き当てるための部材であっても良い。
【００１９】
（作用）
補強板材(13)に対して、ファスナー(30)の幅方向を狭める方向（図４中で左右方向）の外力または補強板材(13)の面に対する直角方向（図４中で上下方向）の外力がかかっても、突き当て部材(42)は、突き当たる補強板材(13)の他側縁を確実に受け止めるように作用する。
【００２０】
（第一の発明のバリエーション５）
第一の発明は、以下のようなバリエーションを提供することもできる。
すなわち、  前記シート部材(20)は、外被(21)と、内被(22)と、前記外被(21)と前記内被(22)との間に配置した強度部材(23)と、で構成し、  前記押さえ部材(41)は、前記ファスナー(30)の他側縁を取り付けた前記シート部材(20)の開口部側端縁における強度部材(23)も共に連結することができる。
【００２１】
（作用）
外被(21)と内被(22)との間に強度部材(23) を配置したシート部材(20)は、外力に抗する強度が向上する。しかも、押さえ部材(41)は、シート部材(20)における強度部材(23) も共に連結することで強度が増し、補強板材(13)の他側縁が確実にシート部材(20)の開口部側端縁に突き当てられるように作用する。
【００２２】
（第一の発明のバリエーション６）
第一の発明は、以下のようなバリエーションを提供することもできる。
すなわち、  前記シート部材(20)は、外被(21)と、内被(22)と、前記外被(21)と前記内被(22)との間に配置した強度部材(23)と、で構成し、  前記突き当て部材(42)は、前記ファスナー(30)の他側縁を取り付けた前記シート部材(20)の開口部側端縁における強度部材(23)も共に連結することができる。
【００２３】
（作用）
外被(21)と内被(22)との間に強度部材(23)を配置したシート部材(20)は、外力に抗する強度が向上する。しかも、突き当て部材(42)は、シート部材(20)における強度部材(23)も共に連結することで強度が増し、突き当たる補強板材(13)の他側縁をよりいっそう確実に受け止めるように作用する。
【００２４】
（第一の発明のバリエーション７）
第一の発明は、以下のようなバリエーションを提供することもできる。
すなわち、  前記突き当て部材(42)は、前記ファスナー(30)の他側縁を取り付けた前記シート部材(20)の開口部側端縁における強度部材(23)と一体型である。
【００２５】
（作用）
突き当て部材(42)がシート部材(20)の開口部側端縁における強度部材(23)と一体型であることで強度が増し、突き当たる補強板材(13)の他側縁をよりいっそう確実に受け止めるように作用する。  また、製造コストの軽減に寄与できる場合もある。
【００２６】
（第一の発明のバリエーション８）
第一の発明は、以下のようなバリエーションを提供することもできる。
すなわち、  前記シート部材(20)は、外被(21)と、内被(22)と、前記外被(21)と前記内被(22)との間に配置した強度部材(23)と、で構成し、  前記の補強板材(13)の一側縁側は、前記ファスナー(30)の一側縁を取り付けた前記シート部材(20)の開口部側端縁における強度部材(23)も共に連結することができる。
【００２７】
（作用）
外被(21)と内被(22)との間に強度部材(23)を配置したシート部材(20)は、外力に抗する強度が向上する。しかも、補強板材(13)は、シート部材(20)における強度部材(23)も共に連結することで強度が増す。
【００２８】
（第一の発明のバリエーション９）
第一の発明は、以下のようなバリエーションを提供することもできる。
すなわち、  前記の補強板材(13)は、前記ファスナー(30)の全長において断続的に配置することができる。
【００２９】
（作用）
補強板材(13)をファスナー(30)の全長において断続的に配置しても、外力に抗する強度を確保することができる場合に適している。補強板材(13)を断続的に配置した場合は、補強板材(13)を連続的に配置した場合と比べると、開口部(12)を開閉するときの柔軟性が高くなる。また、軽量化にも寄与する。
【００３０】
（第二の発明）
第二の発明は、シート部材(20)で収納空間を形成したバッグ本体(11)と、収納物を出し入れするための開口部(12)と、その開口部(12)を開閉するように前記シート部材(20)へ取り付けられたファスナー(30)と、を備えた収納空間補強構造に係る。
前記ファスナー(30)の一側縁を取り付けたシート部材(20)の開口部側端縁は、前記ファスナー(30)の内側を覆うように延伸する。そして、前記ファスナー(30)の他側縁を取り付けた前記シート部材(20)の開口部側端縁に突き当て可能に形成する。
【００３１】
（作用）
本発明に係る収納空間補強構造を採用したバッグ類において、収納空間に対してファスナー(30)の幅方向を狭める方向の外力がかかった場合、シート部材(20)が変形し、特に開口部(12)を備えた箇所は撓んで狭くなる。すると、その箇所のシート部材(20)およびファスナー(30)に対して外力がかかることになる。
しかし、前記ファスナー(30)の一側縁を取り付けた前記シート部材(20)を、ファスナー(30)の内側を覆うように延伸しているので、前記シート部材(20)が外力に抗することとなり、ファスナー(30)がつぶされないように保護される。
前記シート部材(20)の開口部側端縁は、ファスナー(30)の他側縁を取り付けたシート部材(20)の開口部側端縁に突き当て可能であるので、開口部(12)を開閉するというファスナー(30)の基本的機能を損なうことはない。
【００３２】
（第二の発明のバリエーション１）
第二の発明は、以下のようなバリエーションを提供することもできる。
すなわち、  前記ファスナー(30)は、互いに噛み合うファスナーエレメント(31)と、前記ファスナーエレメント(31)を開閉するファスナースライダー(32)と、前記ファスナーエレメント(31)が取り付く一対のファスナーテープ(33)を備え、  上記の一方のファスナーテープ(33)を取り付けた前記シート部材(20)の開口部側端縁は、一対のファスナーテープ(33)の内側を覆うように延伸するとともに、上記の他方のファスナーテープ(33)を取り付けた前記シート部材(20)の開口部側端縁に突き当て可能に形成することができる。
【００３３】
（作用）
ファスナー(30)における一対のファスナーテープ(33a,33b)は、強度的に弱いのであるが、一対のファスナーテープ(33)の内側を覆うように延伸したシート部材(20)によって保護される。しかも、前記シート部材(20)の開口部側端縁は、他方のファスナーテープ(33)を取り付けたシート部材(20)の開口部側端縁に突き当て可能であるので、開口部(12)を開閉するのに何ら支障が生じない。
【００３４】
（第二の発明のバリエーション２）
第二の発明は、以下のようなバリエーションを提供することもできる。
すなわち、前記ファスナー(30)の他側縁を取り付けた前記シート部材(20)の開口部側端縁は、突き当てた前記シート部材(20)の他側縁側を内側から押さえるための押さえ部材(41)を備えることができる。
【００３５】
（作用）
押さえ部材(41)は、突き当てたシート部材(20)の他側縁側を内側から押さえるので、シート部材(20)に外力がかかっても、シート部材(20)の他側縁が確実にシート部材(20)の開口部側端縁に突き当てられる。
【００３６】
（第二の発明のバリエーション３）
第二の発明は、以下のようなバリエーションを提供することもできる。
すなわち、  前記ファスナー(30)の他側縁を取り付けた前記シート部材(20)の開口部側端縁は、前記シート部材(20)の他側縁を突き当てるための突き当て部材(42)を備えることができる。
【００３７】
（作用）
シート部材(20)に外力がかかっても、突き当て部材(42)は、突き当たるシート部材(20)の他側縁を確実に受け止めるように作用する。
【００３８】
（第二の発明のバリエーション４）
第二の発明は、以下のようなバリエーションを提供することもできる。
すなわち、前記シート部材(20)は、外被(21)と、内被(22)と、前記外被(21)と前記内被(22)との間に配置した強度部材(23)と、で構成する。
前記押さえ部材(41)は、前記ファスナー(30)の他側縁を取り付けた前記シート部材(20)の開口部側端縁における強度部材(23)も共に連結することができる。
【００３９】
（作用）
外被(21)と内被(22)との間に強度部材(23)を配置したシート部材(20)は、外力に抗する強度が向上する。しかも、押さえ部材(41)は、シート部材(20)における強度部材(23)も共に連結することで強度が増し、シート部材(20)の他側縁が確実にシート部材(20)の開口部側端縁に突き当てられるように作用する。
【００４０】
（第二の発明のバリエーション５）
第二の発明は、以下のようなバリエーションを提供することもできる。
すなわち、  前記シート部材(20)は、外被(21)と、内被(22)と、前記外被(21)と前記内被(22)との間に配置した強度部材(23)と、で構成する。
前記突き当て部材(42)は、前記ファスナー(30)の他側縁を取り付けた前記シート部材(20)の開口部側端縁における強度部材(23)も共に連結することができる。
【００４１】
（作用）
外被(21)と内被(22)との間に強度部材(23)を配置したシート部材(20)は、外力に抗する強度が向上する。しかも、突き当て部材(42)は、シート部材(20)における強度部材(23)も共に連結することで強度が増し、突き当たるシート部材(20)の他側縁をよりいっそう確実に受け止めるように作用する。
【００４２】
（第二の発明のバリエーション６）
第二の発明は、前記突き当て部材(42)を、前記ファスナー(30)の他側縁を取り付けた前記シート部材(20)の開口部側端縁における強度部材(23)と一体型としてもよい。
【００４３】
（作用）
突き当て部材(42)がシート部材(20)の開口部側端縁における強度部材(23)と一体型であることで強度が増し、突き当たるシート部材(20)の他側縁をよりいっそう確実に受け止めるように作用する。しかも、コストの低減化に寄与できる場合もある。
【発明の効果】
【００４４】
第一の発明および第二の発明によれば、ファスナーを形成した箇所に対する補強構造を形成することで、内容物の収容能力を落とすことなくバッグ本体内の内容物に対する保護を向上できる収納空間補強構造を提供することができた。
【図面の簡単な説明】
【００４５】
【図１】本発明に係る実施形態の長尺物バッグの全体的な斜視図である。
【図２】図１の長尺物バッグの上部を部分的に示す斜視図である。
【図３】図１の長尺物バッグにおいてファスナーを備えた側から視た正面図である。
【図４】図１の長尺物バッグの上部において長手方向にほぼ垂直な断面図である。
【図５】図１の長尺物バッグにおいてファスナーを備えた側から視た正面図である。
【図６】図４の断面構造の実施形態に対して他の例を示す断面図である。
【図７】図４の断面構造の実施形態に対して別の例を示す断面図である。
【図８】図４の断面構造の実施形態に対してさらに別の例を示す断面図である。
【図９】図４の断面構造の実施形態に対してさらに別の例を示す断面図である。
【図１０】図４の断面構造の実施形態に対してさらに別の例を示す断面図である。
【発明を実施するための形態】
【００４６】
以下、本発明の実施形態について図面を参照して説明する。
本実施形態に係る長尺物バッグ１０は、本発明に係る収納空間補強構造を採用したものである。
図１および図２に示すように、長尺物たる釣り竿を収納するシート部材２０で形成したバッグ本体１１と、そのバッグ本体１１に前記長尺物を出し入れするための開口部１２と、その開口部１２を開閉するファスナー３０と、を備えている。
【００４７】
図１では、バッグ本体１１の上部は、釣竿５０の先端側を収納するように略方形の断面形状をなしている。下部はリールや釣り具の付属品を収納するために大きい収納部を形成している。さらに、バッグ本体１１を背負うためのショルダーベルト１５や、バッグ本体１１を手で支えるための取っ手１６などを備えている。
【００４８】
バッグ本体１１は、開口部１２が上端側から下端側に向かう長手方向に設けられ、バッグ本体１１を開閉可能に形成している。開口部１２を開閉するファスナー３０は、図４に示すように、互いに噛み合うファスナーエレメント３１ａ，３１ｂと、そのファスナーエレメント３１ａ，３１ｂを開閉するファスナースライダー３２と、ファスナーエレメント３１ａ，３１ｂが取り付く一対のファスナーテープ３３ａ，３３ｂを備えている。
【００４９】
バッグ本体１１の上部は、図４に示すように断面略方形の三辺が断面Ｕ字形状で一体形成しており、他の一辺に上記の開口部１２とファスナー３０を形成している。
シート部材２０は、外被２１と、内被２２と、前記外被２１と前記内被２２との間に配置した強度部材２３と、で構成している。なお、外被２１および内被２２は、ナイロンやポリプロピレン等の生地で構成することができる。  また、強度部材２３は、例えば高強度のプラスチックとすることができる。
しかし、本願発明は、この実施形態で採用した構造に限定されない。例えば、外被２１と内被２２を重ね合わせたシート部材にも、あるいは多層構造のシート部材にも適用される。外被２１、内被２２、他の層において強度を有する材料を用いることによって高強度のシート部材とすることができる。
【００５０】
シート部材２０は、その端縁の外被２１と内被２２を縫合して袋状に形成し、強度部材２３を内部に収納する構成である。したがって、断面Ｕ字形状のシート部材２０ａと、開口部１２を備えたシート部材２０ｂは、各端縁をバッグ本体１１の内部へ折り曲げて各端縁の外被２１を接触するように重ね合わせ、２つの内被２２，２２と２つの外被２１，２１を縫合して連結している。
【００５１】
図４では、上記のように、断面Ｕ字形状のシート部材２０ａの図４において右側の端縁と、シート部材２０ｂの右側の端縁を重ね合わせて縫合して連結している。一方、断面Ｕ字形状のシート部材２０ａの図４において左側の端縁と、シート部材２０ｂの左側の端縁との間に、ファスナー３０を縫合して連結している。
【００５２】
前記したシート部材２０ａの図４において左側の端縁（開口部側端縁）と、ファスナー３０の図４において左側のファスナーテープ３３ａの端縁を、バッグ本体１１の内部へ折り曲げて重ね合わせて縫合して連結している。一方、ファスナー３０の図４において右側のファスナーテープ３３ｂの端縁と、シート部材２０ｂの図４において左側の端縁（開口部側端縁）と、を縫合して連結している。
【００５３】
補強板材１３が、ファスナー３０における一対のファスナーテープ３３ａ，３３ｂの内側を覆うように配置されている。図３では、補強板材１３がファスナー３０の全長にわたって設けられている。補強板材１３の図４において右側の一側縁側は、図４において右側のファスナーテープ３３ｂと、シート部材２０ｂの図４において左側の端縁（開口部側端縁）と、を縫合して連結している。このとき、補強板材１３の一側縁側は、シート部材２０ｂの強度部材２３も共に縫合して連結する。
【００５４】
図４では、補強板材１３とファスナーテープ３３ｂとシート部材２０ｂの左端縁の内被２２と強度部材２３と外被２１と、を縫合している。さらに、前記の補強板材１３とファスナーテープ３３ｂとシート部材２０ｂの端縁の内被２２と外被２１と、を縫合する箇所も形成している。
一方、補強板材１３の図４において左端側は、シート部材２０ａの図４において左側の端縁（開口部側端縁）に突き当て可能に形成している。シート部材２０ａにおける前記補強板材１３が当接する側の端部は、ファスナー(30)を閉めた場合に補強板材１３の端部よりも収納空間の内側へ位置させる。
【００５５】
前述してきた長尺物バッグ１０の作用について説明する。
長尺物バッグ１０に対して図１および図４において矢印の方向に外力がかかった場合、例えば断面Ｕ字形状のシート部材２０ａでは、Ｕ字形状の開放部である図４において下側が撓んで狭くなる。すると、シート部材２０ｂおよびファスナー３０に対して外力がかかることになる。しかし、ファスナー３０の内側に補強板材１３を配置しているので、シート部材２０ｂにおける強度部材２３も共に連結した補強板材１３の端部が収納空間の内側へ逃げにくい。そのため、図４において左端側がシート部材２０ａの図４において左側の端縁（開口部側端縁）に突き当たることになる。
【００５６】
その結果、ファスナー３０を形成した箇所は補強板材１３によって保護されてつぶれにくくなる。バッグ本体１１は全体として変形が小さく抑えられるために、内部が保護される。したがって、バッグ本体１１の内部に収納された釣竿５０は外力の影響を受けないように保護される。特に、釣竿５０の先端部分の繊細な箇所を保護することができる。
さらに、複数の釣竿５０をバッグ本体１１の内部に収納することができ、外力の影響を受けないように保護することができる。バッグ本体１１の構造は複雑ではないので、コスト低減にも寄与する。
また、補強板材１３について、撥水性を備えた材料を採用すれば、ファスナー３０の箇所からの水の浸入を抑制することにもなる。
【００５７】
補強板材１３は、想定される外力が大きくない場合には、図５に示すように前記ファスナー３０の全長において断続的に配置することもできる。
なお、補強板材１３を断続的に配置した場合は、補強板材１３を連続的に配置した場合と比べると、補強板材１３を連続的に配置した場合より、開口部１２を開閉するときの柔軟性が高くなる。また、軽量化にも寄与する。
【００５８】
前述の長尺バッグ１０では、断面Ｕ字形状のシート部材２０ａを用いているが、その構造に限定されない。例えば、４つのシート部材２０，２０，２０，２０によって断面略方形の四辺を構成することも、あるいはその他の構成であってもよい。
【００５９】
次に、前述の長尺バッグ１０の構造に対して他の実施形態について説明する。前述の長尺バッグ１０と異なる箇所について説明し、同様の部材は同じ符号を付して詳しい説明は省略する。
補強板材１３は、図６に示すように、ファスナー３０のファスナースライダー３２が通過する位置に、バッグ本体１１の内側方向にへこむ凹部１４を形成することができる。これによって、開口部１２を開閉するためにファスナースライダー３２を移動しても、補強板材１３に当たることを少なくできるので動きがスムーズである。
【００６０】
図７では、シート部材２０ａの図７において左側の端縁と、ファスナー３０の図７において左側のファスナーテープ３３ａの端縁を、バッグ本体１１の内部へ折り曲げて重ね合わせて縫合して連結している。重ね合わせの端縁に、押さえ部材４１を縫合して連結している。押さえ部材４１は、例えば断面レ字状に形成しており、そのレ字状をした一片の取付片４１ａを前記の重ね合わせの端縁へ縫合する。
さらに、レ字状における他片の押さえ片４１ｂによって、突き当てた補強板材１３の他側縁側（図７において左側縁側）を内側から押さえる構成である。
【００６１】
押さえ部材４１は、突き当てた補強板材１３の他側縁側を内側から押さえるので、補強板材１３に外力がかかっても、補強板材１３の他側縁が確実にシート部材２０ａの図７において左側の端縁（開口部側端縁）に突き当てられる。したがって、よりいっそう外力に抗する強度が向上する。
【００６２】
図８では、上記のシート部材２０ａの図８において左側の端縁（開口部側端縁）と、ファスナー３０の図８において左側のファスナーテープ３３ａの端縁を、バッグ本体１１の内部へ折り曲げて重ね合わせて縫合して連結している。
一方、上記のシート部材２０ｂの図８において左側の端縁側は、ファスナー３０における一対のファスナーテープ３３ａ，３３ｂの内側を覆うように延伸して配置されている。このシート部材２０ｂの図８において左側の端縁側と、ファスナー３０の図８において右側のファスナーテープ３３ｂの端縁を、縫合して連結している。さらに、シート部材２０ｂの図８において左側の端縁（開口部側端縁）は、シート部材２０ａの図８において左側の端縁（開口部側端縁）に突き当て可能に形成している。
【００６３】
図８の場合では、長尺物バッグ１０に対して外力がかかっても、シート部材２０ｂの図８において左側の端縁側がファスナー３０の内側を覆うように延伸しているので、ファスナー３０がつぶされないように保護される。しかも、前記シート部材２０ｂの図８において左側の端縁（開口部側端縁）は、シート部材２０ａの図８において左側の端縁（開口部側端縁）に突き当たるので、開口部１２を開閉するのに何ら支障が生じない。
【００６４】
図９（ａ）は、例えば断面略方形における四辺中、一辺のシート部材２０において、ほぼ中間に開口部１２とファスナー３０を備えた場合の断面図を示している。この場合、開口部１２は、図９（ａ）において左側のシート部材２０ｃと、右側のシート部材２０ｄとの間に形成される。
【００６５】
前述したシート部材２０ｃの図９（ａ）において右側の端縁（開口部側端縁）と、ファスナー３０の図９（ａ）において左側のファスナーテープ３３ａの端縁を重ね合わせて縫合して連結している。一方、ファスナー３０の図９（ａ）において右側のファスナーテープ３３ｂの端縁と、上記のシート部材２０ｄの図９（ａ）において左側の端縁（開口部側端縁）と、を縫合して連結している。
【００６６】
また、補強板材１３が、前記ファスナー３０における一対のファスナーテープ３３ａ，３３ｂの内側を覆うように配置されている。前記の補強板材１３の図９（ａ）において右側の一側縁側は、シート部材２０ｄの図９（ａ）において左側の端縁（開口部側端縁）と縫合して連結している。このとき、補強板材１３の一側縁側は、シート部材２０ｄの強度部材２３も共に縫合して連結する。
【００６７】
シート部材２０ｃの図９（ａ）において右側の端縁側に、突き当て部材４２を縫合して連結している。突き当て部材４２は、例えば断面レ字状に形成しており、レ字状をなす一片の取付片４２ａを前記シート部材２０ｃの図９（ａ）において右側の端縁側に縫合して連結する。さらに、レ字状をなす他片の突き当て片４２ｂによって、補強板材１３の他側縁〔図９（ａ）において左側縁〕が突き当たること可能とする構成である。
これによって、補強板材１３に外力がかかっても、突き当て部材４２は、突き当たる補強板材１３の他側縁を確実に受け止めることができる。
【００６８】
図９（ｂ）は、上記の図９（ａ）とほぼ同様である。異なる点は、突き当て部材４３の断面形状であり、図９（ｂ）では断面が平板状の基部４３ａと、その基部４３ａからほぼ垂直に延びる突き当て片４３ｂと、前記突き当て片４３ｂから前記基部４３ａとは反対方向に横方向に延びる押さえ片４３ｂと、でなるカギ型の形状となっている。
【００６９】
突き当て部材４３の基部４３ａが、シート部材２０ｃの図９（ａ）において右側の端縁側に縫合して連結しており、補強板材１３の他側縁〔図９（ａ）において左側縁側〕が突き当て片４３ｂに突き当たることを可能とする。なお、この場合は、前記押さえ片４３ｂが、突き当て片４３ｂに突き当たった補強板材１３をバッグ本体１１の内側から押さえるので、よりいっそう外力に抗する強度が向上する。
【００７０】
図１０（ａ）は、突き当て部材における他の例を示す断面図である。
ファスナー３０の図１０（ａ）において右側のファスナーテープ３３ｂの端縁は、シート部材２０ｂの図１０（ａ）において左側の端縁における外被２１と、を縫合して連結している。
【００７１】
ファスナー３０の図１０（ａ）において左側のファスナーテープ３３ａの端縁は、図１０（ａ）において下側に重ね合わせた第一の補助テープ１７の右端側と、図１０（ａ）において上側にファスナー３０の全体を覆うように重ね合わせた補強板材１３の左端側と、前記の補強板材１３の上側に重ね合わせた第二の補助テープ１８の右端側と、を縫合して連結している。さらに、第一の補助テープ１７の左端側および第二の補助テープ１８の左端側と、シート部材２０ａの図１０（ａ）において左側の端縁を、バッグ本体１１の内部へ折り曲げて重ね合わせて縫合して連結している。
【００７２】
上記の状態では、シート部材２０ａの図１０（ａ）において左側の端縁に連結した補強板材１３が、ファスナー３０の全体を内側から覆うように構成している。前記の補強板材１３の図１０（ａ）において右側の端縁は、シート部材２０ｂの図１０（ａ）において左側の端縁における強度部材２３に突き当たる状態となる。
さらに、シート部材２０ｂの図１０（ａ）において左側の端縁の内側に、突き当て部材４４を重ね合わせる。前記突き当て部材４４をシート部材２０ｂの強度部材２３も共に縫合して連結している。
【００７３】
前記の補強板材１３の図１０（ａ）において右側の端縁は、シート部材２０ｂの左側の端縁における強度部材２３だけでなく、突き当て部材４４にも突き当て可能となるので、外力がかかっても補強板材１３の端縁をよりいっそう確実に受け止めることができる。
なお、上記の第一の補助テープ１７は、樹脂などの防水性の材料にすることによって、防水性が向上する効果もある。
【００７４】
図１０（ｂ）では、上記の図１０（ａ）における突き当て部材４４を強度部材２３と一体型として形成している。これによって、突き当て部材４４の強度が増し、突き当たる補強板材１３の端縁をよりいっそう確実に受け止めることができる。しかも、コストの低減化に寄与する。
【産業上の利用可能性】
【００７５】
本発明は、釣り具の製造業、ゴルフ用品の製造業、各種バッグの製造業、販売業またはレンタル業などにおいて、利用可能性を有する。
【符号の説明】
【００７６】
１０；  長尺物バッグ                  １０ａ；  釣り用バッグ
１１；  バッグ本体                    １２；  開口部
１３；  補強板材                      １４；  凹部
１５；  ショルダーベルト              １６；  取っ手
１７；  第一の補助テープ              １８；  第二の補助テープ
２０，２０ａ，２０ｂ，２０ｃ，２０ｄ；  シート部材
２１；  外被                          ２２；  内被
２３；  強度部材
３０；  ファスナー                    ３１ａ，３１ｂ；  ファスナーエレメント
３２；  ファスナースライダー          ３３ａ，３３ｂ；  ファスナーテープ
４１；  押さえ部材
４１ａ；  取付片                      ４１ｂ；  押さえ片
４２；  突き当て部材
４２ａ；  取付片                      ４２ｂ；  突き当て片
４３；  突き当て部材
４３ａ；  基部                        ４３ｂ；  突き当て片
４３ｃ；  押さえ片
４４；  突き当て部材
５０；  釣竿（長尺物）
【図１】
2015192830.tif 000003
【図２】
2015192830.tif 000004
【図３】
2015192830.tif 000005
【図４】
2015192830.tif 000006
【図５】
2015192830.tif 000007
【図６】
2015192830.tif 000008
【図７】
2015192830.tif 000009
【図８】
2015192830.tif 000010
【図９】
2015192830.tif 000011
【図１０】
2015192830.tif 000012